【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
表示部を有する他の通信端末と接続する通信手段と、
前記他の通信端末の表示部に表示される画面データを表示する表示手段と、
前記表示手段の全画面に対応する画面データを前記他の通信端末に送信し、
前記画面データの一部領域を指定する指示を前記他の通信端末から受信し、
前記送信した画面データを前記指示された一部領域に対応する画面データに変換して前記他の通信端末に画面データを再送する制御手段と、を具備した端末装置。
【請求項２】
前記他の通信端末の表示部の大きさを記憶する記憶手段を備え、
前記制御手段は、前記表示された送信データを前記他の通信端末に送信する際、指示された前記画面データの一部領域の大きさを、前記記憶された他の通信端末の表示部に大きさに合わせて変更して前記他の通信端末に再送することを特徴とする請求項１記載の端末装置。
【請求項３】
前記表示手段は、複数の表示領域を含み、それぞれの表示領域はそれぞれの属性を有する画面データを表示し、
前記制御手段は、それぞれの表示領域に対して前記一部領域を指定する指示に応じて前記指定された一部領域の画面データを再送する否かを前記指定された一部領域の画面データの属性に基づいて判断することを特徴とする請求項１記載の端末装置。
【請求項４】
前記制御手段は、前記指定された一部領域の画面データの属性がテキストである場合に、前記一部領域を指定する指示に応じて前記指定された一部領域の画面データを再送することを特徴とする請求項３記載の端末装置。
【手続補正２】
【補正対象書類名】明細書
【補正対象項目名】発明の名称
【補正方法】変更
【補正の内容】
【発明の名称】通信端末
【手続補正３】
【補正対象書類名】明細書
【補正対象項目名】０００６
【補正方法】変更
【補正の内容】
【０００６】
本発明は、表示部を有する他の通信端末と接続する通信手段と、前記他の通信端末の表示部に表示される画面データを表示する表示手段と、前記表示手段の全画面に対応する画面データを前記他の通信端末に送信し、前記画面データの一部領域を指定する指示を前記他の通信端末から受信し、前記送信した画面データを前記指示された一部領域に対応する画面データに変換して前記他の通信端末に画面データを再送する制御手段と、を具備することを主要な特徴とする。
【手続補正４】
【補正対象書類名】明細書
【補正対象項目名】０００７
【補正方法】変更
【補正の内容】
【０００７】
本発明は、制御側通信端末の表示手段が被制御側通信端末の表示手段より小さく、制御側通信端末の表示手段に、被制御側通信端末の表示手段に表示中のデータの一部分しか表示できない場合に、被制御側通信端末の表示手段に表示中のウィンドウを構成する内部領域を認識し、該領域を制御側システムの表示手段にあわせて表示することにより、制御側通信端末で遠隔操作を行うユーザによる画面スクロール操作を削減することができ、制御側通信端末による被制御側通信端末の遠隔操作の操作性を向上できるという利点がある。
【手続補正５】
【補正対象書類名】明細書
【補正対象項目名】０００８
【補正方法】変更
【補正の内容】
【０００８】
本発明は、表示部を有する他の通信端末と接続する通信手段と、前記他の通信端末の表示部に表示される画面データを表示する表示手段と、前記表示手段の全画面に対応する画面データを前記他の通信端末に送信し、前記画面データの一部領域を指定する指示を前記他の通信端末から受信し、前記送信した画面データを前記指示された一部領域に対応する画面データに変換して前記他の通信端末に画面データを再送する制御手段と、を具備することにより実現した。
【手続補正６】
【補正対象書類名】明細書
【補正対象項目名】０００９
【補正方法】変更
【補正の内容】
【０００９】
上記課題を解決するためになされた第１の発明は、表示部を有する他の通信端末と接続する通信手段と、前記他の通信端末の表示部に表示される画面データを表示する表示手段と、前記表示手段の全画面に対応する画面データを前記他の通信端末に送信し、前記画面データの一部領域を指定する指示を前記他の通信端末から受信し、前記送信した画面データを前記指示された一部領域に対応する画面データに変換して前記他の通信端末に画面データを再送する制御手段と、を具備するものであり、制御側通信端末において、ユーザが煩雑なスクロール操作によって表示領域の調整を行うことなく、制御側通信端末からの内部領域表示変更要求に応じて、被制御側通信端末の表示手段に表示された対象ウィンドウの内部領域を、制御側通信端末の表示手段に表示することができるため、操作性を向上できるという作用を有するものである。
【手続補正７】
【補正対象書類名】明細書
【補正対象項目名】００１０
【補正方法】変更
【補正の内容】
【００１０】
上記課題を解決するためになされた第２の発明は、第１の発明の通信端末において、前記他の通信端末の表示部の大きさを記憶する記憶手段を備え、前記制御手段は、前記表示された送信データを前記他の通信端末に送信する際、指示された前記画面データの一部領域の大きさを、前記記憶された他の通信端末の表示部に大きさに合わせて変更して前記他の通信端末に再送するものであり、制御側システムからの内部領域表示変更要求に応じて、被制御側通信端末の表示手段に表示された対象ウィンドウの内部領域を、制御側通信端末の表示手段のサイズにあわせて表示することができるため、制御側通信端末で遠隔操作を行う際の画面スクロール操作を削減でき、操作性を向上できるという作用を有するものである。
【手続補正８】
【補正対象書類名】明細書
【補正対象項目名】００１１
【補正方法】変更
【補正の内容】
【００１１】
上記課題を解決するためになされた第３の発明は、前記表示手段は、複数の表示領域を含み、それぞれの表示領域はそれぞれの属性を有する画面データを表示し、前記制御手段は、それぞれの表示領域に対して前記一部領域を指定する指示に応じて前記指定された一部領域の画面データを再送する否かを前記指定された一部領域の画面データの属性に基づいて判断することを特徴とするものである。
【手続補正９】
【補正対象書類名】明細書
【補正対象項目名】００１２
【補正方法】変更
【補正の内容】
【００１２】
上記課題を解決するためになされた第４の発明は、第３の発明の通信端末において、前記制御手段は、前記指定された一部領域の属性がテキストである場合に、前記一部領域を指定する指示に応じて前記指定された一部領域の画面データを再送することを特徴とするものであり、制御側通信端末からの内部領域表示変更要求に応じて、被制御側通信端末の表示手段に表示された対象ウィンドウの内部領域のうち、例えば、テキスト領域のみを対象領域として制御側通信端末の表示手段にあわせて表示することができるという作用を有するものである。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】